【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
装置により実行される方法であって、
第１の注文の指示を受信するステップであって、前記第１の注文は、売買対象商品、前記売買対象商品の数量、および前記商品についての売買の側を含む、ステップと、
前記金融商品についての前記売買の前記側についての注文が複数の取引所のうちの少なくとも１つの第１の取引所により満足されることが予想される速度の指示を受信するステップと、
少なくとも１つの数量の指示を受信するステップであって、前記少なくとも１つの数量のうちの各数量は、前記複数の取引所のうちの少なくとも１つの第２の取引所において未決の第２の注文に関連する数量の総和を含み、前記第２の注文は、前記商品および前記商品についての売買の前記側を含む、ステップと、
前記複数の取引所のうちの少なくとも１つの第３の取引所により前記取引所により受信された注文を合致させるときに前記取引所において未決の注文を満足させるために用いられる方法の指示を受信するステップと、
前記速度、前記少なくとも１つの数量、および前記方法に少なくとも部分的に基づいて、前記複数の取引所間での前記第１の注文についての分散を決定するステップと、
前記分散に従い前記複数の取引所における前記注文を実行するステップと、
を含む、方法。
【請求項２】
前記第１の取引所、第２の取引所、および第３の取引所は同じ取引所である、請求項１に記載の方法。
【請求項３】
実行するステップは、複数の注文を配置するステップであって、前記複数の注文の各々が、前記第２の分散に従い前記複数の取引所のうちの１つにおいて配置される、ステップを含む、請求項１に記載の方法。
【請求項４】
前記複数の取引所のうちの少なくとも１つは、少なくとも部分的に比例法で注文を満足させる、請求項１に記載の方法。
【請求項５】
前記複数の取引所のうちの前記少なくとも１つは、混成比例／ＦＩＦＯ法で注文を満足させる、請求項４に記載の方法。
【請求項６】
前記複数の取引所のうちの少なくとも他の１つは、ＦＩＦＯ法で注文を満足させる、請求項４に記載の方法。
【請求項７】
前記複数の取引所のうちの前記少なくとも１つは、ビジネスロジック要素を含む比例法で注文を満足させる、請求項４に記載の方法。
【請求項８】
前記分散を決定するステップは、前記複数の取引所のうちの少なくとも１つにより受信されることが予想される第３の注文の予想規模に少なくとも部分的に基づいて、前記分散を決定するステップであって、前記第３の注文は、前記商品および前記商品についての売買の反対の側を含む、ステップを含む、請求項１に記載の方法。
【請求項９】
前記注文満足方法の前記指示は、前記少なくとも１つの取引所において満足された注文の履歴の指示と前記注文満足方法の説明との少なくとも一方を含む、請求項１に記載の方法。
【請求項１０】
前記速度の前記指示は、前記少なくとも１つの取引所において満足された注文の履歴を含む、請求項１に記載の方法。
【請求項１１】
前記分散を決定するステップは、前記複数の取引所のうちの前記少なくとも１つにおいて未決の少なくとも１つの第２の注文が、前記少なくとも１つの第２の注文に関連する数量が小さいため、前記複数の取引所のうちの前記少なくとも１つにより受信される第３の注文により満足されない確率に少なくとも部分的に基づいて、前記分散を決定するステップを含む、請求項１に記載の方法。
【請求項１２】
前記複数の取引所のうちの少なくとも１つは、注文の指示を受信し、前記指示された注文のいずれかが合致するかを決定し、前記合致する注文の少なくともいくつかを実行するように構成されたコンピュータシステムを含む、請求項１に記載の方法。
【請求項１３】
前記分散は、前記複数の取引所の各々に注文として配置される前記第１の注文に関連する前記数量の部分の決定を含む、請求項１に記載の方法。
【請求項１４】
プロセッサに請求項１に記載の方法を行わせるように構成された複数の指示を含むプログラム。
【請求項１５】
１つ以上のプロセッサと、
前記１つ以上のプロセッサにより実行されると前記１つ以上のプロセッサに請求項１に記載の方法を行わせる複数の指示を含むプログラムと、
を備える、装置。
【請求項１６】
ユーザから注文を受けたコンピュータが、請求項１５に記載の装置に前記注文を提出するステップを含む、方法。
【請求項１７】
装置により実行される方法であって、
複数の取引所間での第１の注文についての第１の分散を決定するステップであって、前記第１の注文は、売買対象商品、前記売買対象商品の数量、および前記商品についての売買の側を含む、ステップと、
前記複数の取引所のうちの少なくとも１つの取引所において未決の第２の注文に関連する数量の総和の変更の指示を受信するステップであって、前記第２の注文は、前記商品および前記商品についての売買の前記側を含む、ステップと、
前記指示に少なくとも部分的に基づいて、前記複数の取引所間での前記第１の注文についての第２の分散を決定するステップと、
前記第２の分散に基づいて前記複数の取引所のうちの少なくとも１つを通じて前記注文を実行するステップと、
を含む、方法。
【請求項１８】
前記第２の注文に関連する数量の前記総和の前記変更の前記指示は、前記第２の注文のうちの少なくとも１つの少なくとも一部分を満足させる売買の実行の指示を含む、請求項１７に記載の方法。
【請求項１９】
前記変更の前記指示は、前記第１の注文の少なくとも一部分を満足させる売買の実行の指示を含む、請求項１８に記載の方法。
【請求項２０】
実行するステップは、複数の注文を配置するステップであって、前記複数の注文の各々が、前記第２の分散に従い前記複数の取引所のうちの１つにおいて配置される、ステップを含む、請求項１７に記載の方法。
【請求項２１】
前記複数の取引所のうちの少なくとも１つは、少なくとも部分的に比例法で注文を満足させる、請求項１７に記載の方法。
【請求項２２】
前記複数の取引所のうちの前記少なくとも１つは、混成比例／ＦＩＦＯ法で注文を満足させる、請求項２１に記載の方法。
【請求項２３】
前記複数の取引所のうちの少なくとも他の１つは、ＦＩＦＯ法で注文を満足させる、請求項２１に記載の方法。
【請求項２４】
前記複数の取引所のうちの前記少なくとも１つは、ビジネスロジック要素を含む比例法で注文を満足させる、請求項２１に記載の方法。
【請求項２５】
前記第２の分散を決定するステップは、前記複数の取引所のうちの少なくとも１つにより受信されることが予想される第３の注文の予想規模に少なくとも部分的に基づいて、前記第２の分散を決定するステップであって、前記第３の注文は、前記商品および前記商品についての売買の反対の側を含む、ステップを含む、請求項１７に記載の方法。
【請求項２６】
前記第２の分散を決定するステップは、前記複数の取引所のうちの少なくとも１つの予想注文満足速度に基づいて前記第２の分散を決定するステップを含む、請求項１７に記載の方法。
【請求項２７】
前記少なくとも１つの速度の指示を受信するステップをさらに含む、請求項２６に記載の方法。
【請求項２８】
前記少なくとも１つの速度の変更の指示を受信するステップと、
前記少なくとも１つの速度の前記変更に少なくとも部分的に基づいて、前記複数の取引所間での前記第１の注文についての第３の分散を決定するステップと、
前記第３の分散に基づいて前記複数の取引所のうちの少なくとも１つを通じて前記注文を実行するステップと、
をさらに含む、請求項２７に記載の方法。
【請求項２９】
前記第２の分散を決定するステップは、前記複数の取引所のうちの少なくとも１つにより行われる注文満足方法に基づいて前記第２の分散を決定するステップを含む、請求項１７に記載の方法。
【請求項３０】
前記注文満足方法の指示を受信するステップをさらに含む、請求項２９に記載の方法。
【請求項３１】
前記注文満足方法の前記指示は、前記少なくとも１つの取引所において満足された注文の履歴の指示と前記注文満足方法の説明との少なくとも一方を含む、請求項３０に記載の方法。
【請求項３２】
前記第２の分散を決定するステップは、前記複数の取引所のうちの前記少なくとも１つにおいて未決の少なくとも１つの第２の注文が、前記少なくとも１つの第２の注文に関連する数量が小さいため、前記複数の取引所のうちの前記少なくとも１つにより受信される第３の注文により満足されない確率に少なくとも部分的に基づいて、前記第２の分散を決定するステップを含む、請求項１７に記載の方法。
【請求項３３】
前記複数の取引所のうちの前記少なくとも１つは、注文の指示を受信し、前記指示された注文のいずれかが合致するかを決定し、前記合致する注文の少なくともいくつかを実行するように構成されたコンピュータシステムを含む、請求項１７に記載の方法。
【請求項３４】
前記分散は、前記複数の取引所の各々に注文として配置される前記第１の注文に関連する前記数量の部分の決定を含む、請求項１７に記載の方法。
【請求項３５】
プロセッサに請求項１７に記載の方法を行わせるように構成された複数の指示を含むプログラム。
【請求項３６】
１つ以上のプロセッサと、
前記１つ以上のプロセッサにより実行されると前記１つ以上のプロセッサに請求項１７に記載の方法を行わせる複数の指示を含むプログラムと、
を備える、装置。
【請求項３７】
ユーザから注文を受けたコンピュータが、請求項３６に記載の装置に前記注文を提出するステップを含む、方法。